(57)【要約】【課題】アーム部が回転方向の力を受けて変形し、その結果、ロック係合が解除され易い構成においても、ユーザーが誤ってロックを解除してしまうことのないロック強度を持った現像剤補給容器を提供すること。【解決手段】現像剤補給を行う筒状の現像剤補給容器において、現像剤補給装置は、現像剤補給容器の装着を制御する装着制御部を有し、現像剤補給容器は、装着制御部の規制を受ける被装着制御部を有し、現像剤補給容器及び現像剤補給装置のどちらか一方には前記回転方向の位相を規定する誘い込み部を、他方には前記誘い込み部に規制を受ける被誘い込み部を有し、被装着制御部は、現像剤補給容器を画像形成装置本体に挿入する際に誘い込み部と被誘い込み部の相対移動に伴って装着制御部との位相が規定され、その後、装着制御部の規制を受けるものとする。【選択図】図１６
2006139074.tif 000002
【特許請求の範囲】
【請求項１】
画像形成装置に現像剤を補給する現像剤補給容器において、
現像剤を収納する現像剤補給容器本体と、収納された現像剤を排出するために現像剤補給容器本体に設けられた排出口と、前記排出口を開封可能に封止する容器シャッタと、現像剤補給容器本体に回転可能に取り付けられ、駆動伝達側係合部を有する回転部材と、
前記現像剤補給容器が画像形成装置に装着された際に、前記回転部材が回転することによって排出口を開封するために回転部材の回転力を画像形成装置に設けられた回転力伝達部材を介して受けるため容器シャッタに設けられた回転力受け部と、
画像形成装置に装着されていない時に回転部材の回転を規制し、画像形成装置に装着されると回転部材の回転を許すためのロック部を現像剤補給容器本体又は回転部材の何れか一方に一体的に設け、
前記ロック部と係合する被ロック部を回転部材又は現像剤補給容器本体の何れか一方に一体的に設け、
前記ロック部はロック位置及びロック解除位置へ変位可能であり、
前記ロック部にはロック解除位置に変位させる力を受けるためのロック解除部を有し、
前記被ロック部は、前記ロック部が、前記ロック位置から前記ロック解除位置へ向かう方向とは逆方向に変位した際に前記ロック部と当接する係止部を有し、
前記ロック部が前記ロック状態において前記回転部材の回転方向への力を受けたときに前記係止部方向へ力の付勢を受けるようにガイドされるガイド部を被ロック部に設けた現像剤補給容器画像形成装置本体に装着され、回転することにより現像剤を搬送・排出することで現像剤補給を行う筒状の現像剤補給容器において、
前記画像形成装置は前記現像剤補給容器を受け入れる現像剤補給装置を有し、
前記現像剤補給装置は、前記現像剤補給容器の装着を制御する装着制御部を有し、
前記現像剤補給容器は、前記装着制御部の規制を受ける被装着制御部を有し、
前記現像剤補給容器及び前記現像剤補給装置のどちらか一方には前記回転方向の位相を規定する誘い込み部を、他方には前記誘い込み部に規制を受ける被誘い込み部を有し、
前記被装着制御部は、前記現像剤補給容器を画像形成装置本体に挿入する際に前記誘い込み部と前記被誘い込み部の相対移動に伴って前記装着制御部との位相が規定され、その後前記装着制御部の規制を受けることを特徴とする現像剤補給容器。
【請求項２】
前記ロック部は、回転部材に一体的に設けられたアームであって、前記回転方向に沿った円弧状を成し、前記現像剤補給容器又は前記回転部材には、前記ロック部に回転方向の力が加わった際に前記アーム部の半径方向への変形を抑えるための突起部を有することを特徴とする請求項１記載の現像剤補給容器
【請求項３】
前記突起部に、半径方向に作用する力を利用して前記ロック部がロック方向へガイドされる傾斜面を設けたことを特徴とする請求項２記載の現像剤補給容器。
【請求項４】
前記ロック解除部は、前記ロック部よりも半径方向内側にあることを特徴とする請求項１〜３の何れかに記載の現像剤補給容器。
【請求項５】
前記ロック解除部の長さを１ｍｍ〜２０ｍｍとしたことを特徴とする請求項１〜４の何れかに記載の現像剤補給容器。
【請求項６】
前記回転部材の中心から前記ロック部までの距離より前記回転部材の中心からユーザーが前記回転部材に対して回転力を与える操作部までの距離の方が大きいことを特徴とする請求項１〜５の何れかに記載の現像剤補給容器。
【発明の詳細な説明】
【技術分野】
【０００１】
本発明は、電子写真複写機やプリンタ等の画像形成装置に現像剤を補給するための現像剤補給容器に関する。更に詳細には、現像剤補給容器に回転自在に設けられた回転部材をロックするためのロック部材の改良に関する。
【背景技術】
【０００２】
従来、電子写真複写機やプリンタ等の画像形成装置には現像剤として微粉末の現像剤が使用されている。そして、画像形成装置本体の現像剤が消費された場合には、現像剤補給容器を用いて画像形成装置へ現像剤を補給することが行われている。
【０００３】
ここで、画像形成装置に現像剤を補給するための現像剤補給容器は、収納した現像剤を画像形成装置本体の現像剤受け入れ部に一度に全量補給する所謂一括補給型容器と、画像形成装置本体に現像剤補給容器を装着後、そのまま該容器を据え置く所謂据え置き型容器とに大別される。ここで、据え置き型容器は現像剤を使い切るまで徐々に現像装置に現像剤を補給する。
【０００４】
近年、画像形成装置のコンパクト化を図るため、現像剤補給容器は据え置き型が使用される傾向にある。更に、現像剤補給容器を交換する際に、容器内に残留する現像剤が排出開口から飛散するのを防止するため、該排出開口を封止するための開閉部材を設けている。
【０００５】
前記開閉部材を開閉する方法の１つとして、発明者等は次の構成を提案している。
【０００６】
即ち、現像剤補給容器の容器本体に回転部材を回転自在に嵌合し、回転部材の回転駆動力を、画像形成装置本体の駆動伝達部材を介して現像剤排出開口を開閉する開閉部材に伝達してこれを開閉する。現像剤補給容器が画像形成装置本体に装着されている状態では回転部材は開閉部材との回動関係位置は拘束されている。現像剤補給容器を画像形成装置本体から取り出すと回転部材は上記開閉部材との拘束は解かれ自在に回転可能となる。ところが、前記回転部材に設けられたギア部は省スペース化のため全周には歯が設けられておらず、セグメント（弓形）ギアとなっている。
【０００７】
そのため、ギア部が画像形成装置本体の駆動伝達部材のギアと係合しないのは勿論、限られた範囲のギアの駆動によってトナー排出開口の開閉部材を開封・封止しなければならないため、現像剤補給時の回転部材のギア部と画像形成装置本体に設けられたギアとの位置関係の規制が必要とされることになる。
【０００８】
そこで、現像剤補給時以外の回転部材の誤回動を防止するロック手段が必須となり、回転部材を有する現像剤補給容器において、現像剤補給時以外は回転部材を回転規制するロック手段を有する現像剤補給容器及びこの現像剤補給容器が装着されるとロック手段を解除できる電子写真画像形成装置及び前記ロック手段は現像容器の装着により装着方向に変位することでロックが解除されるロック部を提案したものである。
【０００９】
【特許文献１】特開２００３−３１６１３８号公報
【発明の開示】
【発明が解決しようとする課題】
【００１０】
上記従来例で提案されているロック構成では、回転部材に設けられたアーム部が回転方向の下流側に向かって伸びている場合、回転方向の力が加わった際に、部材の変形によりロックがより係合する方向であるために効果的なロックが可能となるが、アーム部が回転方向の上流側に向かって伸びている場合には、回転方向に力が加わった際に部材の変形によりロックが解除されてしまう可能性がある。
【００１１】
実際の設計においては、常に前者の構成を取れるとは限らず、スペースや画像形成装置側に設けられたロック解除突起との位置関係から後者のロック構成とせざるを得ないこともある。その場合においてもユーザーが触れて簡単にロックが外れないロック強度を確保する必要がある。
【００１２】
本発明は上記問題に鑑みてなされたものであり、その目的とする処は、アーム部が回転方向の力を受けて変形し、その結果、ロック係合が解除され易い構成においても、ユーザーが誤ってロックを解除してしまうことのないロック強度を持った現像剤補給容器を提供することにある。
【課題を解決するための手段】
【００１３】
上記目的を達成するため、本発明における第１の構成は、画像形成装置に現像剤を補給する現像剤補給容器において、
現像剤を収納する現像剤補給容器本体と、収納された現像剤を排出するために現像剤補給容器本体に設けられた排出口と、前記排出口を開封可能に封止する容器シャッタと、現像剤補給容器本体に回転可能に取り付けられ、駆動伝達側係合部を有する回転部材と、
前記現像剤補給容器が画像形成装置に装着された際に、前記回転部材が回転することによって排出口を開封するために回転部材の回転力を画像形成装置に設けられた回転力伝達部材を介して受けるため容器シャッタに設けられた回転力受け部と、
画像形成装置に装着されていない時に回転部材の回転を規制し、画像形成装置に装着されると回転部材の回転を許すためのロック部を現像剤補給容器本体又は回転部材の何れか一方に一体的に設け、
前記ロック部と係合する被ロック部を回転部材又は現像剤補給容器本体の何れか一方に一体的に設け、
前記ロック部はロック位置及びロック解除位置へ変位可能であり、
前記ロック部にはロック解除位置に変位させる力を受けるためのロック解除部を有し、
前記被ロック部は、前記ロック部が、前記ロック位置から前記ロック解除位置へ向かう方向とは逆方向に変位した際に前記ロック部と当接する係止部を有し、
前記ロック部が前記ロック状態において前記回転部材の回転方向への力を受けたときに前記係止部方向へ力の付勢を受けるようにガイドされるガイド部を被ロック部に設けた現像剤補給容器画像形成装置本体に装着され、回転することにより現像剤を搬送・排出することで現像剤補給を行う筒状の現像剤補給容器において、
前記画像形成装置は前記現像剤補給容器を受け入れる現像剤補給装置を有し、
前記現像剤補給装置は、前記現像剤補給容器の装着を制御する装着制御部を有し、
前記現像剤補給容器は、前記装着制御部の規制を受ける被装着制御部を有し、
前記現像剤補給容器及び前記現像剤補給装置のどちらか一方には前記回転方向の位相を規定する誘い込み部を、他方には前記誘い込み部に規制を受ける被誘い込み部を有し、
前記被装着制御部は、前記現像剤補給容器を画像形成装置本体に挿入する際に前記誘い込み部と前記被誘い込み部の相対移動に伴って前記装着制御部との位相が規定され、その後前記装着制御部の規制を受けることを特徴とする。
【００１４】
請求項２記載の発明は、請求項１記載の発明において、前記ロック部は、回転部材に一体的に設けられたアームであって、前記回転方向に沿った円弧状を成し、前記現像剤補給容器又は前記回転部材には、前記ロック部に回転方向の力が加わった際に前記アーム部の半径方向への変形を抑えるための突起部を有することを特徴とする。
【００１５】
請求項３記載の発明は、請求項２記載の発明において、前記突起部に、半径方向に作用する力を利用して前記ロック部がロック方向へガイドされる傾斜面を設けたことを特徴とする。
【００１６】
請求項４記載の発明は、請求項１〜３の何れかに記載の発明において、前記ロック解除部は、前記ロック部よりも半径方向内側にあることを特徴とする。
【００１７】
請求項５記載の発明は、請求項１〜４の何れかに記載の発明において、前記ロック解除部の長さを１ｍｍ〜２０ｍｍとしたことを特徴とする。
【００１８】
請求項６記載の発明は、請求項１〜５の何れかに記載の発明において、前記回転部材の中心から前記ロック部までの距離より前記回転部材の中心からユーザーが前記回転部材に対して回転力を与える操作部までの距離の方が大きいことを特徴とする。
【発明の効果】
【００１９】
請求項１記載の発明によれば、回転方向の力を受けた際にロック係合が解除されそうになっても、ロック部にはその力を利用してロック方向へガイドされる傾斜面が設けてあるため、よりロックを係合させることができる。
【００２０】
請求項２記載の発明に構成によれば、回転方向の力によりアーム部が回転半径方向に変位し、回転半径方向へロック係合が解除されるのを防ぐことができ。
【００２１】
請求項３記載の発明によれば、半径方向へ掛かる力を利用してロック部が更にロック方向へガイドされるため、よりロックを係合又は食い込ませることができる。
【００２２】
請求項４記載の発明によれば、ロック部の解除を行う際に少ない変形量で確実にロックを解除することが可能となる。
【００２３】
請求項５記載の発明によれば、ロック解除部にユーザーが誤って触れて、ロックが解除されることのを防ぐことができる。
【００２４】
請求項６記載の発明によれば、ロック強度が高いためにその分操作部を回転中心から離れたところに設けることが可能となる。
【発明を実施するための最良の形態】
【００２５】
以下に本発明の実施の形態を添付図面に基づいて説明する。但し、以下の実施の形態に記載されている構成部品の寸法、材質、形状、それらの相対配置等は、本発明が適用される装置の構成や各種条件により適宜変更されるべきものであり、特に特定的な記載がない限りは、本発明の範囲をそれらのみに限定する趣旨のものではない。
【００２６】
＜実施の形態１＞
本実施の形態としてカラーレーザープリンタについて説明する。
【００２７】
図１は本実施の形態に係るカラーレーザープリンタの装置左側面から見た概略断面図、図２は現像剤補給容器からプロセスカートリッジへのトナーの搬送過程を示した概念図、図４は現像剤補給容器交換時の本体の状態を説明する概観図、図５及び図６は本発明に係る現像剤補給容器の斜視図、図７及び図８は同現像剤補給容器のロック部付近を示す図である。
【００２８】
図１に示すカラーレーザープリンタでは、図中手前面が装置前方向であり、内部の構造は、各色の像担持体である感光ドラム１ａ，１ｂ，１ｃ，１ｄを４個有し、中間転写体である中間転写ベルト６に重畳的に多重転写し、フルカラーの多色画像を得る４連ドラム方式（インライン）プリンタであり、４つの感光ドラム１ａ，１ｂ，１ｃ，１ｄを用いることにより高速化を達成している。感光ドラム１ａ〜１ｄ及び現像剤補給容器より搬送されたトナーを内包した現像器３ａ〜３ｄは、中間転写ベルト６の鉛直下方に略水平直列に配列され、それぞれイエロー、マジェンタ、シアン、ブラックの各色に対応して配置されている。
【００２９】
図４に示す現像剤補給容器２５は、前記４色の新品トナーがそれぞれの容器に充填され、計４つの現像剤補給容器２５ａ，２５ｂ，２５ｃ，２５ｄが本体に装着される。図２に示すように、現像剤補給容器２５の内部には、攪拌翼３１が配置され、これが回転することにより現像剤補給容器２５の開口部３３からトナーが排出され、バッファ部にトナーが蓄積される。バッファ部の下部にはトナー計量スクリューと搬送スクリューが配置され、バッファ部のトナーをプロセスカートリッジに送り込める構成である。トナー計量スクリューにより搬送されるトナーの量は、スクリューピッチとパイプとの空間で同量ずつ分断されるため、スクリューの回転量によりトナーの排出量を調整することができる。
【００３０】
ビデオカウント値から、規定のテーブルによりトナー計量スクリューの回転量が決定され、適正量のトナーがトナー計量スクリューから排出される。印字中は常時回転している搬送スクリューがトナーをプロセスカートリッジの現像室へ投入する。又、トナー計量スクリューの回転量に応じて現像剤補給容器２５の攪拌翼３１が回転し、現像剤補給容器２５からバッファ部へトナーが補充され、バッファ内のトナー量は一定に保たれる。
【００３１】
又、感光ドラム１ａ〜１ｄは、それぞれプロセスカートリッジとして装置本体に対して着脱可能な構成となっている。尚、本実施の形態では、感光ドラム１、一次帯電ローラ２、現像器３がプロセスカートリッジ内に配置されている。
【００３２】
中間転写ベルト６は、無端状のベルト部材であって、駆動ローラ７、従動ローラ８及びテンションローラ９に張架され、図中矢印Ａ方向に回転している。
【００３３】
感光ドラム１の下方には給送手段が配置されおり、この給送手段は、転写材を積載収納するカセット１３、該カセット１３に積載された転写材の最上層をピックアップするピックアップローラ１４、転写材を所定の方向へ搬送するレジストローラ１５により構成されている。カセット１３内に収納された転写材は、ピックアップローラにより１枚ずつ分離給送され、レジストローラ１５によって斜行を矯正されると共に中間転写ベルト６上の現像剤像と同期して搬送される。
【００３４】
又、転写材が二次転写部Ｎ２に給送されると中間転写ベルト６上で形成されたフルカラーの現像剤像が転写材に一括して二次転写される。
【００３５】
そして、二次転写部Ｎ２を通過した転写材は、感光ドラム１より上方にある定着手段である定着器１１に達し、熱と圧力を加えられることによりトナーが溶融し、画像が定着された後、排紙ローラ２０によって上蓋１６の上に排紙、積載される。
【００３６】
中間転写ベルト６上に残留する二次転写残トナーは、中間転写ベルトクリーナ１２によって除去され、次の画像形成に供される。
【００３７】
又、装置上面には開閉可能な上蓋１６が設けられており、感光ドラム１及び現像器３等が一体となったプロセスカートリッジ（ＰＣＲＧ）、中間転写ベルト６の交換を行うことができる。
【００３８】
［現像剤補給容器交換の手順］
前記バッファ部には、トナーセンサが配置されており、現像剤補給容器２５のトナーが無くなり、トナーがバッファ部に排出されず、バッファ部のトナーが無くなると、制御部へ信号を送り、何色の現像剤補給容器が空になったことをユーザーに知らせる。
【００３９】
ユーザーは、本体からの情報により、本体の現像剤補給容器カバー２３をＺ方向に開き、空になった現像剤補給容器２５を本体からＹ方向に取り出し、新品の現像剤補給容器２５を本体に投入する。その後、現像剤補給容器カバー２３を閉じると、制御部からの信号により、現像剤補給容器２５の攪拌ギア３２に駆動が加わり、現像剤補給容器内部の攪拌翼３１が取り付けられた攪拌棒３０が回転し、再度バッファ内がトナーで満たされ、印字可能な状態に戻る。
【００４０】
［現像剤補給容器］
図５及び図１７において、前述の現像剤補給容器２５は、容器本体２６とハンドル２７、容器シャッター２８、シール２９、攪拌ギア３２と、攪拌ギア３２と現像剤補給容器２５内部で連結される攪拌棒３０と攪拌翼３１とで構成されている。現像剤補給容器２５の内部にはトナーが充填され、攪拌翼３１が回転することにより開口部３３からトナーが排出される。又、容器シャッター２８は、開口部３３を覆い、開口部３３の周辺と容器シャッター２８との隙間はシール２９により封止されている。更に、シャッターロック２８ａが現像剤補給容器２５のシャッターロック受け部２６ｈに係合しているため、誤って容器シャッター開方向（Ｘ方向）にスライドさせても、シャッター２８が開いてトナーが溢れることはない。
【００４１】
［回転部材］
容器本体２６には回転部材としてのハンドル２７が回転自在に取り付けられている。ハンドル２７は、容器本体２６を跨ぐコの字状の形状となっており、コの字の先端部が回転中心となるように取り付けてある。操作はオペレータがハンドル把手２７ａを持ってハンドル２７を回転させる。ハンドル２７の片側にはシャッター２８を開けるためのセグメントギア２７ｄが設けられ、更にその逆側には本体外でハンドル２７の回転を規制するためのロック部２７ｂが設けてある。
【００４２】
シャッター２８は、容器本体２６の外周面に沿った円弧状を成し、両端縁には断面コ字型のガイドレール部を有する。そして、容器本体２６の排出開口３３の近傍に設けられ周方向に平行な２つの突条１ｅと係合して容器本体２６の周方向に往復動自在に取り付けられる。尚、シャッター２８にもセグメントギア２８ｂが設けられている。
【００４３】
［現像剤補給容器の装着・脱着］
次に、図１１、図１３及び図１９を用いて、現像剤補給容器２５を現像装置に装着・脱着する状況について説明する。
【００４４】
先ず、装着について、オペレータは、現像剤補給容器カバー２３をＺ方向に開き、現像剤補給容器上部の容器把手２６ｂを掴んで、本体上部からＴ方向に現像剤補給容器２５を本体のトナー補給装置に挿入開始する（図１９）。更に、現像剤補給容器２５を挿入すると、現像剤補給容器２５に設けられたレールガイド２６ａが現像器側に設けられた不図示のレールに誘い込まれ、挿脱着方向以外の位置が決定される。その後、図１３に示すように、ハンドルのロック解除受け部２７ｃが現像装置側に設けられたロック解除突起６０ａに当接（図１３（ａ））してハンドルロック２７ｂが解除されて装着が完了する（図１３（ｂ）及び図１５（ｂ））。又、その際、容器シャッター２８のシャッターロック２８ａが不図示のトナー補給装置の凸部によりＴ方向とほぼ平行（Ｓ方向）に持ち上げられ、容器シャッター２８が開閉可能な状態となる。
【００４５】
ハンドルロック部２７ｂと容器シャッター２８は、図１１に示すように、ハンドル２７と本体ギア１５０間、本体ギア１５０と本体ギア２５１ａ間、本体ギア３５１ａと本体ギア３５１ｂは一体、本体ギア３５１ｂと容器シャッターギア間のギアが連結されて一体的に動作可能な状態になる。
【００４６】
ハンドル把手部２７ａをＶ方向に倒すと、シャッターが動き始める。
【００４７】
現像剤補給容器２５の開口部３３が完全に開く位置で容器シャッター２８と一体になって動作する不図示の補給口シャッターは、不図示の突き当て部に突き当たり、ハンドルも止まりトナー補給が可能な状態となる。その後、現像剤補給容器カバー２３を閉じるとプリンタは印字可能状態に復帰する。
【００４８】
次に、脱着について、現像剤補給容器２５内のトナーが無くなり、開口部３３からバッファ部へトナーが排出されなくなると、バッファ部のトナーセンサがトナー無しを検知し、現像剤補給容器交換メッセージを表示する。オペレータは、現像剤補給容器カバー２３を開け、交換する現像剤補給容器２５のシャッターを閉じるためハンドル把手部２７ａをＷ方向に回転させる。シャッター２８が完全に閉じた状態でハンドル２７は停止し、オペレータは現像剤補給容器２５をＴ方向に取り出すことができる。
【００４９】
［ハンドルロック部］
本発明で特徴となる構成について説明する。
【００５０】
前述したように、現像剤補給容器２５が現像装置６０に装着されていないときには、図１５（ａ）に示すように、ハンドル２７のロック部２７ｂは、容器本体２６側の被ロック部２６ｃに係合しており、ロックされた状態となっている。現像剤補給容器２５は、生産されてからユーザーの手元に届くまでには物流による振動や衝撃が加わり、更にユーザーが現像装置に装着するまでに、落下させてしまったり、不意に力を加えてしまったりすることがあるため、このような状況においても簡単にロックが外れない構成が必要である。
【００５１】
本実施の形態では、ユーザーが指で触って簡単にロック解除を行えないようロック解除部の隙間２７ｃ（図１０（ｂ））を５ｍｍと設定している。この隙間は指が入らないように１〜２０ｍｍの範囲で設定することが好ましい。
【００５２】
次に、ハンドルにＶ方向やＷ方向の力が掛かった場合の状況について説明する。
【００５３】
図１４は図１２をＵ方向から見た図である。Ｖ方向に力が掛かった場合、図１４（ｃ）に示すようにハンドルの回転中心であり、且つ、容器本体２６への固定部である軸突起を支点としてハンドル全体がＵ方向から見て反時計回りに回転し、ハンドルロック部はロック解除方向（Ｑ方向）へ移動しようとする。
【００５４】
又、容器本体２６の被ロック部２６ｃにおいて、ハンドルのロック部２７ｂと係合している係合突起１２６ｄは、図１５（ａ）に示すように、α°の傾斜面が設けてある（図８参照）。本実施の形態では、α＝１０°としている。この面に力が加わると傾斜面の角度αが小さくなるように変形する。このときロックが外れるタイミングは前述したハンドル自体の回転により生じるロック解除方向（Ｑ方向）の力が変形後の傾斜面の角度と傾斜面に掛かる力により生じるロック方向（Ｒ方向）の力よりも大きくなったときである。従って、傾斜角度αが大きければ大きいほど傾斜面に掛かる力に対するロック方向の力の比が大きくなるため、ロックは外れにくくなる。
【００５５】
角度αはハンドル２７の部材変形により発生するロック離脱力や容器本体２６の被ロック部２６ｃに設けられた係合突起２６ｄの強度を加味した上で、力が加わったときにロック解除しないよう適宜設定することができる。
【００５６】
Ｗ方向に力が掛かった場合においても、原理的には上記と同じ現象となる。本実施の形態においては、ハンドル２７の部材変形の力がＵ方向から見て時計方向（図１４（ｂ））に加わるため、ロック部２７ｂがより食い込む方向であり、容器本体２６の被ロック部２６ｃに設けられた係合突起２６ｅは初期α＝０°となっており、力が加わると図１５（ｃ）のようにハンドルロック部がロック解除される方向に変形するが、前者のハンドル部材変形による力が勝るため、結果的にハンドルロック部がロック方向に食い込む方向であり、特に傾斜面を設けていない。仮に容器本体２６の係合突起２６ｅの強度が弱いために、この力関係が逆転するようであれば、図１５（ｄ）に示すように、係合突起２６ｅに傾斜面を設けても良い。
【００５７】
本実施の形態においては、回転中心からロック部２７ｂまでの距離が約３０ｍｍであり、回転中心からハンドル把手部２７ａまでの距離は６０ｍｍである。このため、操作力は１／２になっており、操作性は向上しているが、ハンドル把手部２７ａに力を加えるとてこの原理によりその倍の力がロック部２７ｂに掛かる。ロック部２７ｂに大きな力が加わる場合には各部材の変形量も大きくなり、ロックが外れ易くなるが、本発明のようなロック強度強化によりこのような構成を採ることができる。
【００５８】
又、ハンドルにＶ方向やＷ方向に力が加わった際にハンドルの回転半径方向への変形によりロックが外れてしまうことがある。それについて説明する。図９は回転軸方向からロック部を見た断面図を示す。
【００５９】
Ｖ方向の力が加わった場合について述べる。Ｖ方向に力が加わると、ハンドルはアーム形状をしているため、部材はＭ方向へ変形しようとする。この変形が大きくなると半径方向でロックが外れてしまうため、本実施の形態では、その変形を防ぐためハンドルアーム部２７ｆの内側に変形防止突起２６ｆを容器本体側に設けている。又、この突起には半径内側方向（Ｍ方向）への力が加わった際にロック部２７ｂがロック方向（Ｒ方向）に変形するように傾斜面が設けてあり（図１０（ｂ））、その角度はβである。本実施例ではβ＝１０°としている。これにより力が加わるほどロック部はロック方向へ食い込むようになっている。角度βの大きさについては前述したαの場合と考え方は同じであり、各部材変形によるロック解除方向への力の合力よりも、突起部の傾斜面に加わる力により発生するロック方向への力が大きくなるように適宜設定することができる。
【００６０】
Ｗ方向に力が加わった際には、本構成においてはＮ方向へ変形しようとするが、被ロック部の係合突起１にアーム２７ｆ部外周面が当接してそれ以上の変形はしないようになっているため特に変形防止突起を設けていない。仮にこのアーム２７ｆが外側に変形することでロックが外れるようなことがあるのならば変形防止の突起を設ける必要が出てくる。
【００６１】
以上説明したように、各部材の変形によりロックが外れてしまうのをロック部の傾斜面や、半径方向への変形防止、更には半径方向に加わる力を利用してロック係合部をよりロック方向へ食い込ませることによりロック強度アップが可能となる。
【００６２】
尚、本実施の形態において、現像剤補給容器２５が現像装置６０に装着されていない状態で、ハンドル把手部２７ａに容器シャッター２８を開口させる回転方向に力を加えた際にロックが解除されてしまう時のロックハンドル把手部２７ａにおける力をロック強度とすると、ロック強度は１３０Ｎであった。
【００６３】
本発明は以上の実施の形態に限定されず、種々の実施の形態が可能である。 
例えば、ロック部と被ロック部が共に突起の場合を開示したが、どちらか一方が凹みであっても構わない。この場合、よりコンパクトに設計することができる。
【００６４】
又、ロック位置とロック解除位置とを変位するアーム２７ｆを回転部材であるハンドル２７に設ける例のみ示したが、逆に容器本体２６側にアーム２７ｆ又は何らかの変位可能な部分を設けても構わない。
【００６５】
前記実施の形態においては、アーム２７ｆをノブと一体成型し、アーム２７ｆは材料の弾性によってロック位置に復元する例を示したが、別途板バネやコイルバネを併用し、より強力にロック位置へと付勢しても良い。 
上記説明において、現像剤とは１成分トナー、２成分トナー、２成分キャリア及び２成分トナーとキャリアの混合物の何れであっても良い。 
［比較例］
本発明の実施の形態１に対する比較例として、図１５（ｄ）に示すようにα＝０°、又、アーム２７ｆの半径方向への変位を防ぐ突起２６ｆが無い場合のロック強度を測定した。その結果、ハンドル把手部２７ａにおける前記ロック強度は２０Ｎであった。
【図面の簡単な説明】
【００６６】
【図１】電子写真方式の画像形成装置断面図である。
【図２】現像剤補給容器からプロセスカートリッジへのトナー搬送概念図である。
【図３】画像形成装置の一例であるプリンタの概念図である。
【図４】プリンタへの現像剤補給容器の挿脱着を示す図である。
【図５】本発明に係る現像剤補給容器（ハンドルロック側）の斜視図である。
【図６】本発明に係る現像剤補給容器（ギア側）の斜視図である。
【図７】本発明に係る現像剤補給容器のロック正面から見た図である。
【図８】ロック部・被ロック部の詳細図である。
【図９】ハンドルロック部をハンドル回転中心の軸方向から見た図である。
【図１０】ハンドルロック部の半径方向への変形を抑える突起を示す図である。
【図１１】現像剤補給容器の装着時の駆動ギア列の概観図である。
【図１２】ハンドルをハンドル回転中心の軸方向から見た図である。
【図１３】現像剤補給容器の装着時におけるハンドルロック解除の様子を示す図である。
【図１４】ハンドル操作部に力が加わった際のロック部の変形方向を示す図である。
【図１５】容器本体被ロック部に力が加わった際の変形状態を示す図である。
【図１６】現像剤補給容器内部を示した断面図である。
【図１７】現像剤補給容器のシャッターが開いた際の概観図である。
【図１８】ハンドルロック部のロック解除の隙間を示す図である。
【図１９】現像剤補給容器を現像装置へ装着する際の概観図である。
【符号の説明】
【００６７】
１    感光ドラム
２    一次帯電ローラ
３    現像器
４    露光手段
５    一次転写ローラ
６    中間転写ベルト
７    駆動ローラ
８    従動ローラ
９    テンションローラ
１０    二次転写ローラ
１１    定着器
１２    中間転写ベルトクリーナ
１３    カセット
１４    ピックアップローラ
１５    レジストローラ
１６    上蓋
２１    複写機前面
２２    給紙トレー
２３    トナーカバー
２４    操作パネル
２５    現像剤補給容器
２６    容器本体
２６ａ  ガイドレール
２６ｂ  容器把手
２６ｃ  容器側被ロック部
２６ｄ  係合突起１
２６ｅ  係合突起２
２６ｆ  変形防止突起
２６ｇ  シャッターレール
２６ｈ  シャッターロック受け部
２７    ハンドル
２７ａ  ハンドル把手
２７ｂ  ハンドルロック部
２７ｃ  ハンドルロック解除受け部
２７ｄ  ハンドルギア
２７ｅ  ハンドルロック保護カバー
２７ｆ  アーム
２８    シャッター
２８ａ  シャッターロック部
２８ｂ  シャッターギア
２９    シール
３０    攪拌棒
３１    攪拌翼
３２    攪拌ギア
３３    排出口
５０    本体ギア１
５１ａ  本体ギア２
５１ｂ  本体ギア３
６０    現像装置側容器受け入れ部
６０ａ  現像装置側ハンドルロック解除突起
Ａ    中間転写体回転方向
Ｎ１    一次転写部
Ｎ２    二次転写部
Ｖ，Ｗ  現像剤補給容器ハンドル回転方向
Ｑ    ハンドルロック解除方向
Ｒ    ハンドルロック方向
Ｍ，Ｎ  ハンドルの変位方向（半径方向）
Ｓ    シャッターロック解除方向
Ｘ，Ｕ  現像剤補給容器シャッター開閉方向
Ｙ    現像剤補給容器取り出し方向
Ｔ    現像補給容器装着方向
Ｚ    現像剤補給容器カバー回動方向
【図１】
2006139074.tif 000003
【図２】
2006139074.tif 000004
【図３】
2006139074.tif 000005
【図４】
2006139074.tif 000006
【図５】
2006139074.tif 000007
【図６】
2006139074.tif 000008
【図７】
2006139074.tif 000009
【図８】
2006139074.tif 000010
【図９】
2006139074.tif 000011
【図１０】
2006139074.tif 000012
【図１１】
2006139074.tif 000013
【図１２】
2006139074.tif 000014
【図１３】
2006139074.tif 000015
【図１４】
2006139074.tif 000016
【図１５】
2006139074.tif 000017
【図１６】
2006139074.tif 000018
【図１７】
2006139074.tif 000019
【図１８】
2006139074.tif 000020
【図１９】
2006139074.tif 000021